(57)【要約】【課題】  電飾カバーの広範囲を少数個の単色のＬＥＤによってフルカラーで照明すること。【解決手段】  ＬＥＤカバー３４にはＬＥＤ基板３３が固定されており、ＬＥＤ基板３３にはＲアングルＬＥＤ３６〜ＢアングルＬＥＤ３８が搭載されている。これらＲアングルＬＥＤ３６〜ＢアングルＬＥＤ３８はＬＥＤ基板３３に対して斜め向きの照明光をＬＥＤカバー３４の共通の混色照明領域Ｓ内に投射するものであり、ＬＥＤカバー３４の混色照明領域Ｓは単色のＲアングルＬＥＤ３６〜ＢアングルＬＥＤ３８によってフルカラーで照明される。しかも、ＲアングルＬＥＤ３６〜ＢアングルＬＥＤ３８が共通の円形軌跡Ｃ上に円周方向に等ピッチで配列されているので、ＬＥＤカバー３４の混色照明領域Ｓが均一に照明される。【選択図】  図４
2006093300.tif 000002
【特許請求の範囲】
【請求項１】
透光性の電飾カバーと、
前記電飾カバーによって覆われるＬＥＤ基板と、
前記ＬＥＤ基板に搭載され、前記電飾カバーの共通の混色照明領域内に光を投射するＮ個の赤色系のＬＥＤ・Ｎ個の緑色系のＬＥＤ・Ｎ個の青色系のＬＥＤとを備え（Ｎは１以上の整数）、
前記３Ｎ個のＬＥＤは、前記ＬＥＤ基板に対して傾斜する光を前記電飾カバーの中央部に向って投射するように投光方向を規制する支持台を有し、
前記３Ｎ個の支持台は、同一の円形軌跡上に円周方向に等ピッチで配列されていることを特徴とする電飾装置。
【請求項２】
前記各ＬＥＤは、前記電飾カバーのうち前記混色照明領域の外部に単色照明領域を生成するものであることを特徴とする請求項１記載の電飾装置。
【請求項３】
前記３Ｎ個のＬＥＤは（Ｎは２以上の整数）、赤緑青・赤青緑・緑赤青・緑青赤・青赤緑・青緑赤のいずれかの順序で繰返し配列されていることを特徴とする請求項１〜２のいずれかに記載の電飾装置。
【請求項４】
前記各ＬＥＤは、
前記ＬＥＤ基板に押当てられる基準面を有する支持台としてのパッケージと、
前記パッケージに設けられ、軸心線が前記基準面に対して傾斜する筒状の反射面と、
前記パッケージに保持され、前記反射面によって囲まれたＬＥＤ素子と
を備えていることを特徴とする請求項１〜３のいずれかに記載の電飾装置。
【請求項５】
前記各ＬＥＤは、
前記ＬＥＤ基板に押当てられる基準面を有する支持台としてのパッケージと、
前記パッケージに保持され、前記基準面に対して傾斜する搭載面を有するリードフレームと、
前記搭載面に搭載される平面端子を有するＬＥＤ素子と
を備えていることを特徴とする請求項１〜３のいずれかに記載の電飾装置。
【発明の詳細な説明】
【技術分野】
【０００１】
本発明は、ＬＥＤから電飾カバーに照明光を投射することに基いて電飾カバーを発光させる電飾装置に関する。
【背景技術】
【０００２】
上記電飾装置には、図１４に示すように、電飾カバー１００にＬＥＤ基板１０１を装着した構成のものがある。このＬＥＤ基板１０１には複数のフルカラーＬＥＤ１０２が搭載されており、電飾カバー１００の照明領域１０３は複数のフルカラーＬＥＤ１０２によって内部から照明される。
【発明の開示】
【発明が解決しようとする課題】
【０００３】
上記電飾装置においては、フルカラーＬＥＤ１０２としてトップビュータイプのものを使用している。このため、電飾カバー１００を広範囲に照明しようとしたときに多数のフルカラーＬＥＤ１０２が必要になるので、コスト的に不利である。
本発明は上記事情に鑑みてなされたものであり、その目的は、電飾カバーの広範囲を少数個ＬＥＤによってフルカラーで照明することができる電飾装置を提供することにある。
【課題を解決するための手段】
【０００４】
＝請求項１に係る発明の説明＝
請求項１に係る発明は電飾カバーの混色照明領域を赤緑青の単色ＬＥＤによって共通に照明することでフルカラーの電飾効果を得るものであり、詳細は次の通りである。
１）電飾カバー：ＬＥＤ基板に設けられたイルミネーション部材を称する。この電飾カバーは照明光が投射されることに基いて発光するものであり、少なくとも照明光の照射部分が透明または半透明で透光性を有していることが要件である。
２）ＬＥＤ基板：赤色系のＬＥＤと緑色系のＬＥＤと青色系のＬＥＤが搭載された基板を称する。このＬＥＤ基板は電飾カバーによって覆われたものである。このＬＥＤ基板は全体が電飾カバーによって覆われたものに限定解釈されるものではなく、少なくとも赤色系のＬＥＤ〜青色系のＬＥＤが覆われていれば良い。
３）赤色系のＬＥＤ：ＬＥＤ基板に搭載されたものであり、電飾カバーの混色照明領域を赤色系の光で照明する。この赤色系のＬＥＤは支持台を有している。この支持台は赤色系の照明光の投光方向を規制するものであり、具体的にはＬＥＤ基板に対して傾斜する赤色系の照明光を電飾カバーの中央部に向って投射するように投光方向を規制するものであり、照明光の投射方向とは中心線の方向を称する。
４）緑色系のＬＥＤ：ＬＥＤ基板に搭載されたものであり、電飾カバーの混色照明領域を緑色系の光で照明する。この緑色系のＬＥＤは支持台を有している。この支持台は緑色系の照明光の投光方向を規制するものであり、具体的にはＬＥＤ基板に対して傾斜する緑色系の照明光を電飾カバーの中央部に向って投射するように投光方向を規制するものであり、照明光の投射方向とは中心線の方向を称する。
５）青色系のＬＥＤ：ＬＥＤ基板に搭載されたものであり、電飾カバーの混色照明領域を青色系の光で照明する。この青色系のＬＥＤは支持台を有している。この支持台は青色系の照明光の投光方向を規制するものであり、具体的にはＬＥＤ基板に対して傾斜する青色系の照明光を電飾カバーの中央部に向って投射するように投光方向を規制するものであり、照明光の投射方向とは中心線の方向を称する。即ち、電飾カバーの混色照明領域は赤色系の照明光〜青色系の照明光が混色する共通の照明領域であり、赤色系の照明光〜青色系の照明光の強度を個別に調整することに基いてフルカラーで照明可能なものである。これら赤色系のＬＥＤ〜青色系のＬＥＤは同一個数だけ設けられたものであり、共通の円形軌跡上に円周方向に等ピッチで配列されている。
＝請求項２に係る発明の説明＝
請求項２に係る発明は電飾カバーに単色照明領域を生成するものである。この単色照明領域とは赤色系の照明光〜青色系の照明光が単独で電飾カバーを照明する領域を称するものであり、赤色系の単色照明領域〜青色系の単色照明領域は混色照明領域の外部に生成される。
＝請求項３に係る発明の説明＝
請求項３に係る発明は赤色系のＬＥＤ〜青色系のＬＥＤを円周方向に固定的な順序で繰返し配列するものである。この固定的な順序とは赤緑青・赤青緑・緑赤青・緑青赤・青赤緑・青緑赤のいずれかを称するものであり、円周方向に同色のＬＥＤが隣接しない順序である。
＝請求項４に係る発明の説明＝
請求項４に係る発明は赤色系のＬＥＤ〜青色系のＬＥＤとして搭載角度の調整作業が不要な表面実装ＬＥＤを提供するものである。具体的にはＬＥＤ素子をパッケージによって保持するものであり、パッケージには基準面および反射面が形成されている。反射面とはＬＥＤ素子からの光を反射する筒状の壁面を称するものであり、赤色系のＬＥＤの投光方向〜青色系のＬＥＤの投光方向は反射面の軸心線の方向に影響される。この軸心線は基準面に対して傾斜している。この基準面とはパッケージのうちＬＥＤ基板に押当てられる設置面を称するものであり、赤色系のＬＥＤの投光方向〜青色系のＬＥＤの投光方向はパッケージの基準面をＬＥＤ基板に押当てるだけで予め設定された傾斜角度に規制される。
＝請求項５に係る発明の説明＝
請求項５に係る発明は赤色系のＬＥＤ〜青色系のＬＥＤとして搭載角度の調整作業が不要な表面実装ＬＥＤを提供するものである。具体的にはリードフレームをパッケージによって保持するものであり、パッケージには基準面が形成されている。リードフレームは基準面に対して傾斜する搭載面を有するものであり、搭載面にはＬＥＤ素子の平面端子が搭載される。即ち、赤色系のＬＥＤの投光方向〜青色系のＬＥＤの投光方向は搭載面の傾斜角度に影響されるものであり、パッケージの基準面をＬＥＤ基板に押当てるだけで予め設定された傾斜角度に規制される。
【発明の効果】
【０００５】
請求項１に係る発明によれば、赤色系のＬＥＤ〜青色系のＬＥＤから電飾カバーの共通の混色照明領域内に赤色系の照明光〜青色系の照明光を照射したので、電飾カバーの混色照明領域を単色のＬＥＤを用いてフルカラーで照明することができる。しかも、ＬＥＤ基板に対して傾斜する照明光を電飾カバーの中央部に向って投射するように投光方向を規制する支持台を設け、支持台を共通の円形軌跡上に円周方向に等ピッチで配列したので、電飾カバーの広範囲を少数のＬＥＤで均一に照明することができる。
【０００６】
請求項２に係る発明によれば、電飾カバーのうち混色照明領域の外部に赤色系の単色照明領域〜青色系の単色照明領域を形成したので、フルカラーの電飾効果とは別の独自の電飾効果が生成される。
請求項３に係る発明によれば、赤色系のＬＥＤ〜青色系のＬＥＤを円周方向に同色のＬＥＤが隣接しない固定的な順序で繰返し配列した。このため、電飾カバーの混色照明領域内に同色が局部的に集中することを抑えられるので、電飾効果が高まる。
【０００７】
請求項４に係る発明によれば、パッケージに基準面および反射面を設けた。このため、パッケージの基準面をＬＥＤ基板に押当てるだけで赤色系のＬＥＤの投光方向〜青色系のＬＥＤの投光方向が予め設定された傾斜角度に規制されるので、赤色系のＬＥＤ〜青色系のＬＥＤのＬＥＤ基板に対する実装作業が簡単になる。
請求項５に係る発明によれば、パッケージおよびリードフレームに基準面および搭載面を設けた。このため、パッケージの基準面をＬＥＤ基板に押当てるだけで赤色系のＬＥＤの投光方向〜青色系のＬＥＤの投光方向が予め設定された傾斜角度に規制されるので、赤色系のＬＥＤ〜青色系のＬＥＤのＬＥＤ基板に対する実装作業が簡単になる。
【発明を実施するための最良の形態】
【０００８】
【実施例１】
【０００９】
パチンコホールの台島には、図１に示すように、外枠１が設置されている。この外枠１は前後面が開口する四角筒状をなすものであり、外枠１には四角形状の前枠２が装着されている。この前枠２の下端部には横長な長方形状の下皿板３が固定されており、下皿板３には下皿４が固定されている。この下皿板３の上方には横長な長方形状の上皿板５が配置されている。この上皿板５は前枠２に装着されたものであり、上皿板５には上皿６が固定されている。
【００１０】
下皿板３の右端部にはハンドル台７が固定されており、ハンドル台７には発射ハンドル８が前後方向へ延びる軸を中心に回動可能に装着されている。この発射ハンドル８の後方には発射モータ９が固定されており、発射モータ９の回転軸には打球槌が連結されている。この発射モータ９は打球槌の駆動源に相当するものであり、遊技者が発射ハンドル８を時計回り方向へ回動操作したときには発射モータ９に駆動電源が与えられ、打球槌が駆動することに基づいて上皿６内のパチンコ球を上皿６内から弾き出す。
【００１１】
前枠２には矩形状の窓枠１０が装着されている。この窓枠１０は円形孔状の窓部１１を有するものであり、窓部１１の内周面には透明なガラス窓１２が固定されている。この窓枠１０の後方には、図２に示すように、遊技盤１３が装着されている。この遊技盤１３は前枠２に保持されたものであり、窓枠１０のガラス窓１２は遊技盤１３を前方から視覚的に認識可能に覆っている。
【００１２】
遊技盤１３には、図２に示すように、外レール１４および内レール１５が固定されている。これら外レール１４および内レール１５間には空間状の発射通路１６が形成されており、打球槌が弾いたパチンコ球は発射通路１６を通して遊技領域１７内に放出される。この遊技領域１７内には複数の障害釘１８が打込まれており、遊技領域１７内に放出されたパチンコ球は障害釘１８に当りながら遊技領域１７内を落下する。この遊技領域１７は外レール１４および内レール１５によって囲まれた円形領域（発射通路１６の残余領域）を称するものであり、パチンコ球が転動可能な最大範囲である転動領域に相当する。
【００１３】
遊技領域１７内には上面が開口するポケット状の特別図柄始動口１９が固定されている。この特別図柄始動口１９内には特別図柄始動センサ２０(図３参照)が固定されており、特別図柄始動センサ２０は特別図柄始動口１９内にパチンコ球が入賞したことを検出して特別図柄始動信号を出力する。
遊技領域１７内には、図２に示すように、入賞口台板２１が固定されており、入賞口台板２１には前面が開口する四角筒状の大入賞口２２が固定されている。この入賞口台板２１には扉２３が下端部の水平な軸２４を中心に回動可能に装着されている。この扉２３は大入賞口ソレノイド２５（図３参照）のプランジャに機械的に連結されており、大入賞口ソレノイド２５は扉２３を垂直状態に回動操作することに基づいて大入賞口２２の前面を閉鎖し、扉２３を前方へ倒れた水平状態に回動操作することに基づいて大入賞口２２の前面を開放する。この大入賞口２２内にはカウントセンサ２６（図３参照）が固定されており、カウントセンサ２６はパチンコ球が大入賞口２２内に入賞したことを検出してカウント信号を出力する。
【００１４】
遊技領域１７内には、図２に示すように、表示台板２７が固定されており、表示台板２７には特別図柄表示器２８が固定されている。この特別図柄表示器２８は横一列に並ぶ３個の図柄表示部を有するものであり、各図柄表示部は７セグメント形のＬＥＤ表示器から構成されている。これら各図柄表示部は「１」〜「８」の数字図柄が表示されるものであり、遊技者には３列の数字図柄の組合せに応じて大当りおよび外れが報知される。即ち、３列の数字図柄は遊技者に大当りおよび外れを報知する特別図柄に相当するものである。
【００１５】
表示台板２７には装飾図柄表示器２９が固定されている。この装飾図柄表示器２９は特別図柄表示器２８に比べて大きな表示領域を有するカラー液晶表示器から構成されたものであり、装飾図柄表示器２９には装飾図柄および演出図柄が表示される。装飾図柄は特別図柄の組合せが決まる様子を映像的に演出する３列の数字図柄からなるものであり、演出図柄は装飾図柄の組合せが決まる様子を映像的に演出する物語調のアニメーション画面の構成要素として機能する。
【００１６】
窓枠１０の上端部には、図１に示すように、左端部および右端部に位置して網目状のスピーカカバー３０が固定されており、各スピーカカバー３０の後方にはスピーカ３１（図３参照）が配置されている。これら各スピーカ３１は窓枠１０の後面に固定されたものであり、各スピーカ３１が再生する遊技音は前方のスピーカカバー３０を通して遊技者側に放出される。
【００１７】
窓枠１０には、図１に示すように、電飾装置に相当する複数の電飾器３２が固定されている。これら各電飾器３２は物語り調のアニメーション画面をフルカラーの光で演出する演出器に相当するものであり、各電飾器３２の詳細構成は次の通りである。
窓枠１０には、図４に示すように、正方形状のＬＥＤ基板３３が固定されており、ＬＥＤ基板３３には電飾カバーに相当するＬＥＤカバー３４が固定されている。このＬＥＤカバー３４は透明な半球状をなすものであり、窓枠１０の開口部３５を通して前方に突出している。
【００１８】
ＬＥＤ基板３３には赤色系のＬＥＤに相当するＲアングルＬＥＤ３６が搭載されている。このＲアングルＬＥＤ３６は中心点ＣＰを中心とする円形軌跡Ｃ上に配置されたものであり、中心点ＣＰとはＬＥＤ基板３３に直交する直線のうちＬＥＤカバー３４の頂点ＣＰ１を通る直線とＬＥＤ基板３３との交点を称する。このＲアングルＬＥＤ３６はＬＥＤ基板３３に対して斜め向きの赤色光をＬＥＤカバー３４の中央部に向って投射するものであり、投射光の傾斜角度θはＬＥＤ基板３３に対して４５°に設定されている。
【００１９】
ＬＥＤ基板３３には緑色系のＬＥＤに相当するＧアングルＬＥＤ３７が搭載されている。このＧアングルＬＥＤ３７はＲアングルＬＥＤ３６と共通の円形軌跡Ｃ上にＲアングルＬＥＤ３６から１２０°離間して配置されたものである。このＧアングルＬＥＤ３７はＬＥＤ基板３３に対して斜め向きの緑色光をＬＥＤカバー３４の中央部に向って投射するものであり、投射光の傾斜角度θはＲアングルＬＥＤ３６と同一の４５°に設定されている。
【００２０】
ＬＥＤ基板３３には青色系のＬＥＤに相当するＢアングルＬＥＤ３８が搭載されている。このＢアングルＬＥＤ３８はＲアングルＬＥＤ３６およびＧアングルＬＥＤ３７と共通の円形軌跡Ｃ上にＲアングルＬＥＤ３６およびＧアングルＬＥＤ３７から１２０°離間して配置されたものであり、ＲアングルＬＥＤ３６〜ＢアングルＬＥＤ３８は円周方向に等ピッチで配列されている。このＢアングルＬＥＤ３８はＬＥＤ基板３３に対して斜め向きの青色光をＬＥＤカバー３４の中央部に向って投射するものであり、投射光の傾斜角度θはＲアングルＬＥＤ３６およびＧアングルＬＥＤ３７と同一の４５°に設定されている。これらＲアングルＬＥＤ３６〜ＢアングルＬＥＤ３８はＬＥＤ素子４５の種類を除いて構成要素が同一な表面実装ＬＥＤからなるものであり、ＲアングルＬＥＤ３６〜ＢアングルＬＥＤ３８の詳細構成は次の通りである。
【００２１】
パッケージ４１は、図５に示すように、断面台形状をなすものであり、パッケージ４１には平面状の基準面４２が形成されている。このパッケージ４１内にはリードフレーム４３が埋設されており、リードフレーム４３には平面状のチップ搭載面４４が形成されている。このチップ搭載面４４は基準面４２に対して角度θ（具体的には４５°）で傾斜状に交差するものであり、ＲアングルＬＥＤ３６のチップ搭載面４４には赤色系のＬＥＤ素子４５の平面端子が接続され、ＧアングルＬＥＤ３７のチップ搭載面４４には緑色系のＬＥＤ素子４５の平面端子が接続され、ＢアングルＬＥＤ３８のチップ搭載面４４には青色系のＬＥＤ素子４５の平面端子が接続されている。尚、パッケージ４１は支持台に相当するものである。
【００２２】
パッケージ４１内にはリードフレーム４６が埋設されており、リードフレーム４６には平面状のボンディング面４７が形成されている。このリードフレーム４６のボンディング面４７はリードフレーム４３のチップ搭載面４４と共通の平面上に配置されたものであり、ＬＥＤ素子４５はリードフレーム４６のボンディング面４７にワイヤボンディングされている。これらリードフレーム４６およびリードフレーム４３には端子４８が折曲形成されている。これら各端子４８はパッケージ４１の基準面４２に対して面一な平面状の接続面４９を有するものであり、各接続面４９は基準面４２をＬＥＤ基板３３の表面に押当てた状態で印刷パターンに半田付けされている。
【００２３】
パッケージ４１には凹部５０が形成されており、ＬＥＤ素子４５は凹部５０内に配置されている。この凹部５０内には透光性の樹脂封止部が形成されており、樹脂封止部はＬＥＤ素子４５を樹脂封止している。この凹部５０はＬＥＤ素子４５から遠ざかるに従って拡径する円形状をなすものであり、凹部５０の軸心線ＣＬはＬＥＤ基板３３に対してチップ搭載面４４およびボンディング面４７と同一角度θで傾斜している。即ち、基準面４２はパッケージ４１をＬＥＤ基板３３に対して角度規制することに基いて凹部５０の軸心線ＣＬの傾斜角度θを４５°に確定するものである。
【００２４】
凹部５０の内周面はＬＥＤ素子４５からの投射光を反射する反射面５１として機能するものであり、ＬＥＤ素子４５が発光したときには凹部５０の軸心線ＣＬを中心に３次元的に拡がる光がＬＥＤカバー３４に向って投射される。即ち、ＲアングルＬＥＤ３６〜ＢアングルＬＥＤ３８は赤色光の投射方向ＣＬ〜青色光の投射方向ＣＬがＬＥＤ基板３３に対して同一角度θで傾斜するものである。
【００２５】
ＲアングルＬＥＤ３６〜ＢアングルＬＥＤ３８は、図６に示すように、ＬＥＤカバー３４の中央部の混色照明領域Ｓ内に照明光を共通に照射するものである。この混色照明領域ＳはＲアングルＬＥＤ３６からの投射光とＧアングルＬＥＤ３７からの投射光とＢアングルＬＥＤ３８からの投射光とが混色する領域であり、ＬＥＤカバー３４には混色照明領域Ｓの外部に位置して単色照明領域ＳＲと単色照明領域ＳＧと単色照明領域ＳＢが形成され、単色照明領域ＳＲと単色照明領域ＳＧとの間・単色照明領域ＳＧと単色照明領域ＳＢとの間・単色照明領域ＳＢと単色照明領域ＳＲとの間に位置して暗領域ＤＥが形成されている。
【００２６】
単色照明領域ＳＲはＲアングルＬＥＤ３６からの投射光がＧアングルＬＥＤ３７からの投射光およびＢアングルＬＥＤ３８からの投射光と混色しない赤色の照明領域である。単色照明領域ＳＧはＧアングルＬＥＤ３７からの投射光がＲアングルＬＥＤ３６からの投射光およびＢアングルＬＥＤ３８からの投射光と混色しない緑色の照明領域である。単色照明領域ＳＢはＢアングルＬＥＤ３８からの投射光がＲアングルＬＥＤ３６からの投射光およびＧアングルＬＥＤ３７からの投射光と混色しない青色の照明領域である。電飾器３２は以上のように構成されている。
【００２７】
メイン制御回路１００はゲーム内容を制御する最上位の制御手段であり、図３に示すように、特別図柄始動センサ２０からの特別図柄始動信号およびカウントセンサ２６からのカウント信号のいずれかを検出することに基いて賞球データを設定する。タイマ回路１０１はメイン制御回路１００に定期的にパルス信号を出力するものであり、メイン制御回路１００はタイマ回路１０１からのパルス信号を検出することに基いて大当りカウンタＲｏおよび図柄カウンタＲｚを「１」ずつ加算する。これら大当りカウンタＲｏおよび図柄カウンタＲｚは「０」から異なる上限値に加算された後に「０」に戻して加算されるものであり、メイン制御回路１００は特別図柄始動センサ２０からの特別図柄始動信号を検出したことを条件に大当りカウンタＲｏの現在の計測値および図柄カウンタＲｚの現在の計測値を取得する。そして、大当りカウンタＲｏの取得結果を大当り値と比較することに基いて大当りおよび外れを判定し、大当りおよび外れの判定結果に応じた特別図柄を図柄カウンタＲｚの取得結果に基いて設定する。
【００２８】
ＬＥＤ回路１０２は特別図柄表示器２８を駆動するものであり、メイン制御回路１００はＬＥＤ回路１０２を駆動制御することに基いて特別図柄表示器２８に特別図柄の設定結果を表示する。ソレノイド回路１０３は大入賞口ソレノイド２５を駆動制御するものであり、メイン制御回路１００は特別図柄表示器２８に特別図柄を大当りの組合せで表示したことを条件に大入賞口ソレノイド２５を駆動し、大入賞口２２の扉２３を開放する。
【００２９】
払出制御回路１０４はメイン制御回路１００から賞球データが送信されるものであり、賞球データを検出することに基いて賞球データに応じた駆動信号を設定する。モータ回路１０５は払出制御回路１０４から駆動信号の設定結果が与えられるものであり、払出制御回路１０４からの駆動信号に基いてステッピングモータ１０６に駆動用のパルス信号を与える。このステッピングモータ１０６はパチンコ球を上皿６内に賞品球として払出す賞球払出装置の駆動源として機能するものであり、上皿６内にはステッピングモータ１０６が駆動することに基いて賞球データに応じた個数の賞品球が払出される。
【００３０】
演出制御回路１０７は装飾図柄遊技の演出内容を総括的に制御するものである。この演出制御回路１０７はメイン制御回路１００から特別図柄遊技データの設定結果が送信されるものであり、メイン制御回路１００は特別図柄始動センサ２０からの特別図柄始動信号を検出したことを条件に特別図柄遊技データを設定し、演出制御回路１０７は特別図柄遊技データを検出することに基いて装飾図柄遊技データを設定する。
【００３１】
図柄制御回路１０８は演出制御回路１０７から装飾図柄遊技データが送信されるものである。この図柄制御回路１０８は装飾図柄遊技データに基いて装飾図柄遊技の映像的な演出内容を設定するものであり、演出内容を設定したときには演出内容の設定結果に応じた画像データを設定し、画像データの設定結果に基いて表示信号を生成する。この図柄制御回路１０８は表示信号の設定結果をＬＣＤ回路１０９に送信するものであり、ＬＣＤ回路１０９は図柄制御回路１０８からの表示信号に応じた映像を装飾図柄表示器２９に表示することに基いて装飾図柄遊技を行う。
【００３２】
音制御回路１１０は演出制御回路１０７から装飾図柄遊技データが送信されるものである。この音制御回路１１０は装飾図柄遊技データに基いて音的な演出内容を設定するものであり、演出内容を設定したときには演出内容の設定結果に応じた音データを設定し、音データの設定結果に基いて音信号を生成する。この音制御回路１１０は音信号の設定結果をスピーカ回路１１１に送信するものであり、スピーカ回路１１１は音制御回路１１０からの音信号に応じた遊技音を両スピーカ３１から出力することに基いて装飾図柄遊技を音的に演出する。
【００３３】
電飾制御回路１１２は演出制御回路１０７から装飾図柄遊技データが送信されるものである。この電飾制御回路１１２は装飾図柄遊技データに基いて電飾的な演出内容を設定するものであり、演出内容を設定したときには演出内容の設定結果に応じた電飾データを設定し、電飾データの設定結果に基いて電飾信号を設定する。この電飾制御回路１１２は電飾信号の設定結果をＬＥＤ回路１１３に送信するものであり、ＬＥＤ回路１１３は複数の電飾器３２の赤色のＬＥＤ素子４５〜青色のＬＥＤ素子４５を電飾信号に応じた内容で発光させ、複数の電飾器３２の発光色および発光強度を個別に制御することに基いて装飾図柄遊技を電飾的に演出する。
【００３４】
上記実施例１によれば、ＲアングルＬＥＤ３６〜ＢアングルＬＥＤ３８からＬＥＤカバー３４の共通の混色照明領域Ｓ内に赤色の照明光〜青色の照明光を照射したので、電飾カバー３４の混色照明領域Ｓをフルカラーで照明することができる。しかも、ＬＥＤ基板３３に対して傾斜する照明光をＬＥＤカバー３４の中央部に向って投射するように投光方向を規制するパッケージ４１を設け、パッケージ４１を共通の円形軌跡Ｃ上に円周方向に等ピッチで配列したので、ＬＥＤカバー３４の広範囲を少数のＬＥＤで均一に照明することができる。
【００３５】
ＬＥＤカバー３４のうち混色照明領域Ｓの外部に赤色系の単色照明領域ＳＲ〜青色系の単色照明領域ＳＢを形成したので、フルカラーの電飾効果とは別の独自の電飾効果を生成することができる。
ＲアングルＬＥＤ３６のパッケージ４１〜ＢアングルＬＥＤ３８のパッケージ４１に基準面４２および反射面５１を形成した。このため、ＲアングルＬＥＤ３６の基準面４２〜ＢアングルＬＥＤ３８の基準面４２をＬＥＤ基板３３に押当てるだけでＲアングルＬＥＤ３６の投光方向ＣＬ〜ＢアングルＬＥＤ３８の投光方向ＣＬが予め設定された傾斜角度θに角度規制されるので、ＲアングルＬＥＤ３６〜ＢアングルＬＥＤ３８のＬＥＤ基板３３に対する実装作業が簡単になる。
【００３６】
ＲアングルＬＥＤ３６のパッケージ４１〜ＢアングルＬＥＤ３８のパッケージ４１に基準面４２を形成し、ＲアングルＬＥＤ３６のリードフレーム４３〜ＢアングルＬＥＤ３８のリードフレーム４３にチップ搭載面４４を形成した。このため、ＲアングルＬＥＤ３６の基準面４２〜ＢアングルＬＥＤ３８の基準面４２をＬＥＤ基板３３に押当てるだけでＲアングルＬＥＤ３６の投光方向ＣＬ〜ＢアングルＬＥＤ３８の投光方向ＣＬが予め設定された傾斜角度θに角度規制されるので、ＲアングルＬＥＤ３６〜ＢアングルＬＥＤ３８のＬＥＤ基板３３に対する実装作業が簡単になる。
【実施例２】
【００３７】
電飾器３２のＬＥＤ基板３３には、図７に示すように、電飾カバーに相当する正四角形状のＬＥＤカバー６１が固定されている。このＬＥＤカバー６１の天井板の中心点ＣＰ２はＲアングルＬＥＤ３６〜ＢアングルＬＥＤ３８の配列中心ＣＰを通る直交線上に配置されており、ＲアングルＬＥＤ３６〜ＢアングルＬＥＤ３８は、図８に示すように、ＬＥＤカバー６１の中央部の混色照明領域Ｓ内に照明光を共通に照射し、混色照明領域Ｓの外周部の単色照明領域ＳＲ内と単色照明領域ＳＧ内と単色照明領域ＳＢ内に照明光を単独で照射する。
【実施例３】
【００３８】
電飾器３２のＬＥＤ基板３３には、図９に示すように、電飾カバーに相当する正三角形状のＬＥＤカバー６２が固定されている。このＬＥＤカバー６２の頂点ＣＰ３はＲアングルＬＥＤ３６〜ＢアングルＬＥＤ３８の配列中心ＣＰを通る直交線上に配置されており、ＲアングルＬＥＤ３６〜ＢアングルＬＥＤ３８はＬＥＤカバー６２の中央部の混色照明領域Ｓ内に照明光を共通に照射する。
【００３９】
上記実施例１〜実施例３においては、１個のＲアングルＬＥＤ３６〜１個のＢアングルＬＥＤ３８の合計３個を円形軌跡Ｃ上に等ピッチで配列したが、これに限定されるものではなく、例えば２以上の同数個のＲアングルＬＥＤ３６〜ＢアングルＬＥＤ３８を円形軌跡Ｃ上に等ピッチで配列しても良い。以下、２以上の同数個のＲアングルＬＥＤ３６〜Ｎ個のＢアングルＬＥＤ３８を円形軌跡Ｃ上に等ピッチで配列する実施例４〜実施例７について説明する。
【実施例４】
【００４０】
電飾器３２のＬＥＤ基板３３には、図１０に示すように、２個のＲアングルＬＥＤ３６と２個のＧアングルＬＥＤ３７と２個のＢアングルＬＥＤ３８が搭載されている。これら合計６個のＲアングルＬＥＤ３６〜ＢアングルＬＥＤ３８は円形軌跡Ｃ上に円周方向に等ピッチ６０°で配列されたものであり、ＲアングルＬＥＤ３６〜ＢアングルＬＥＤ３８の配列順序はＲアングルＬＥＤ３６・ＧアングルＬＥＤ３７・ＢアングルＬＥＤ３８の順序に設定されている。これら各ＲアングルＬＥＤ３６〜各ＢアングルＬＥＤ３８のＬＥＤ基板３３に対する投射角度θは共通の４５°に設定されており、２個のＲアングルＬＥＤ３６〜２個のＢアングルＬＥＤ３８はＬＥＤカバー３４の中央部の混色照明領域Ｓ内に照明光を共通に照射する。
【００４１】
上記実施例４によれば、ＲアングルＬＥＤ３６〜ＢアングルＬＥＤ３８の合計６個を円周方向に同色のＬＥＤが隣接しないように固定的な順序で繰返し配列した。このため、電飾カバー３４の混色照明領域Ｓ内に同色が局部的に集中すること抑えられるので、電飾効果が高まる。
【実施例５】
【００４２】
電飾器３２のＬＥＤ基板３３には、図１１に示すように、正方形状のＬＥＤカバー６１が固定されており、２個のＲアングルＬＥＤ３６〜２個のＢアングルＬＥＤ３８はＬＥＤカバー６１の中央部の混色照明領域Ｓ内に照明光を共通に照射する。
【実施例６】
【００４３】
電飾器３２のＬＥＤ基板３３には、図１２に示すように、３個のＲアングルＬＥＤ３６と３個のＧアングルＬＥＤ３７と３個のＢアングルＬＥＤ３８が搭載されている。これら合計９個のＲアングルＬＥＤ３６〜ＢアングルＬＥＤ３８は円形軌跡Ｃ上に円周方向に等ピッチ４０°で配列されたものであり、ＲアングルＬＥＤ３６〜ＢアングルＬＥＤ３８の配列順序はＲアングルＬＥＤ３６・ＧアングルＬＥＤ３７・ＢアングルＬＥＤ３８の順序に設定されている。これら各ＲアングルＬＥＤ３６〜各ＢアングルＬＥＤ３８のＬＥＤ基板３３に対する投射角度θは共通の４５°に設定されており、３個のＲアングルＬＥＤ３６〜３個のＢアングルＬＥＤ３８はＬＥＤカバー３４の中央部の混色照明領域Ｓ内に照明光を共通に照射する。
【実施例７】
【００４４】
電飾器３２のＬＥＤ基板３３には、図１３に示すように、４個のＲアングルＬＥＤ３６と４個のＧアングルＬＥＤ３７と４個のＢアングルＬＥＤ３８が搭載されている。これら合計１２個のＲアングルＬＥＤ３６〜ＢアングルＬＥＤ３８は円形軌跡Ｃ上に円周方向に等ピッチ３０°で配列されたものであり、ＲアングルＬＥＤ３６〜ＢアングルＬＥＤ３８の配列順序はＲアングルＬＥＤ３６・ＧアングルＬＥＤ３７・ＢアングルＬＥＤ３８の順序に設定されている。これら各ＲアングルＬＥＤ３６〜各ＢアングルＬＥＤ３８のＬＥＤ基板３３に対する投射角度θは共通の４５°に設定されており、４個のＲアングルＬＥＤ３６〜４個のＢアングルＬＥＤ３８はＬＥＤカバー３４の中央部の混色照明領域Ｓ内に照明光を共通に照射する。
【００４５】
上記実施例４〜実施例７においては、ＲアングルＬＥＤ３６〜ＢアングルＬＥＤ３８を円周方向にＲＧＢの固定的な順序で繰返し配列したが、これに限定されるものではなく、例えばＲＢＧ・ＧＲＢ・ＧＢＲ・ＢＲＧ・ＢＧＲのいずれかの固定的な順序で繰返し配列しても良い。
上記実施例１〜実施例７においては、ＲアングルＬＥＤ３６の基準面４２〜ＢアングルＬＥＤ３８の基準面４２をＬＥＤ基板３３に押当てることに基いて照明光の投射方向を角度規制したが、これに限定されるものではなく、例えばリードフレーム４３の端子４８およびリードフレーム４６の端子４８の曲げ角度を調整することに基いて角度規制しても良い。
【００４６】
上記実施例１〜実施例７においては、ＲアングルＬＥＤ３６の投光方向〜ＢアングルＬＥＤ３８の投光方向をパッケージ４１の反射面５１およびリードフレーム４３のチップ搭載面４４の双方によって規制したが、これに限定されるものではなく、例えばいずれか一方で規制しても良い。
上記実施例１〜実施例７においては、ＬＥＤカバー３４・ＬＥＤカバー６１・ＬＥＤカバー６２を透明樹脂から構成したが、これに限定されるものではなく、例えば半透明樹脂から構成しても良い。
【００４７】
上記実施例１〜実施例７においては、本発明を遊技機の電飾装置に適用したが、これに限定されるものではなく、例えば自動販売機の押ボタンとして機能する電飾装置に適用したり、自動車の操作ボタンとして機能する電飾装置等に適用しても良い。
【図面の簡単な説明】
【００４８】
【図１】本発明の実施例１を示す図（ａはパチンコ機の外観を前方から示す斜視図、ｂはパチンコ機の外観を後方から示す斜視図）
【図２】遊技盤を示す図
【図３】電気的構成を示すブロック図
【図４】電飾器を示す図（ａは矢印Ｘ１視図、ｂはＸ２線に沿う断面図、ｃはＸ３線に沿う断面図）
【図５】ＲアングルＬＥＤ〜ＢアングルＬＥＤを示す図（ａは矢印Ｘ１視図、ｂはＸ２線に沿う断面図）
【図６】ＬＥＤカバーの照明状態を示す図
【図７】本発明の実施例２を示す図４相当図（ａは矢印Ｘ１視図、ｂはＸ２線に沿う断面図、ｃはＸ３線に沿う断面図）
【図８】図６相当図
【図９】本発明の実施例３を示す図４相当図（ａは矢印Ｘ１視図、ｂはＸ２線に沿う断面図、ｃはＸ３線に沿う断面図）
【図１０】本発明の実施例４を示す図４相当図（ａは矢印Ｘ１視図、ｂはＸ２線に沿う断面図）
【図１１】本発明の実施例５を示す図４相当図（ａは矢印Ｘ１視図、ｂはＸ２線に沿う断面図）
【図１２】本発明の実施例６を示す図４相当図（ａは矢印Ｘ１視図、ｂはＸ２線に沿う断面図）
【図１３】本発明の実施例７を示す図４相当図（ａは矢印Ｘ１視図、ｂはＸ２線に沿う断面図）
【図１４】従来例を示す図
【符号の説明】
【００４９】
Ｃは円形軌跡、Ｓは混色照明領域、ＳＲは単色照明領域、ＳＧは単色照明領域、ＳＢは単色照明領域、３２は電飾器（電飾装置）、３３はＬＥＤ基板、３４はＬＥＤカバー（電飾カバー）、３６はＲアングルＬＥＤ（赤色系のＬＥＤ）、３７はＧアングルＬＥＤ（緑色系のＬＥＤ）、３８はＢアングルＬＥＤ（青色系のＬＥＤ）、４１はパッケージ（支持台）、４２は基準面、４３はリードフレーム、４４はチップ搭載面（搭載面）、４５はＬＥＤ素子、５１は反射面を示している。
【図１】
2006093300.tif 000003
【図２】
2006093300.tif 000004
【図３】
2006093300.tif 000005
【図４】
2006093300.tif 000006
【図５】
2006093300.tif 000007
【図６】
2006093300.tif 000008
【図７】
2006093300.tif 000009
【図８】
2006093300.tif 000010
【図９】
2006093300.tif 000011
【図１０】
2006093300.tif 000012
【図１１】
2006093300.tif 000013
【図１２】
2006093300.tif 000014
【図１３】
2006093300.tif 000015
【図１４】
2006093300.tif 000016